【誤訳訂正書】
【提出日】平成25年7月18日(2013.7.18)
【誤訳訂正１】
【訂正対象書類名】明細書
【訂正対象項目名】全文
【訂正方法】変更
【訂正の内容】
【発明の詳細な説明】
【発明の名称】非ＯＡＭ観測（ＯＢＳＥＲＶＥＮＴ）クライアントへのデータ伝送経路特性の信号送信の方法
【技術分野】
【０００１】
本発明は、データ伝送経路に関するデータ伝送経路特性の信号送信の方法およびネットワーク装置に関する。
【背景技術】
【０００２】
本発明の背景技術は、データ伝送経路の特性の監視を目的とする運用−管理−保守情報の交換の原理である。
【０００３】
イーサネットＯＡＭツールをサポートするパケット伝送ネットワークについて、データ伝送経路の伝送特性を監視し判定するために、ネットワーク装置の間でイーサネット運用−管理−保守（ＯＡＭ）メッセージを交換することが知られている。かかる経路は、ネットワーク装置間の経路でもよい。かかるイーサネットＯＡＭメッセージは、パケットベースのメッセージとして交換される。
【０００４】
同期型デジタル階層ＳＤＨまたは光伝送ネットワークＯＴＮなどの伝送ネットワークについて、データ伝送経路を提供するネットワーク装置が、２つのネットワーク装置の間でネットワークを介して伝送されるデータ伝送ユニットのオーバヘッド内でＯＡＭ情報を交換することが知られている。
【先行技術文献】
【非特許文献】
【０００５】
【非特許文献１】電気通信標準ＩＥＥＥ  Ｓｔｄ  ８０２．１ａｇ−２００７
【非特許文献２】電気通信標準ＩＴＵ−Ｔ  Ｙ．１７３１（０２／２００８）
【非特許文献３】電気通信標準ＩＴＵ−Ｔ  Ｇ．７８３（０３／２００６）
【非特許文献４】電気通信標準ＩＴＵ−Ｔ  Ｇ．７９８（１２／２００６）
【非特許文献５】電気通信標準ＩＴＵ−Ｔ  Ｇ．８０６．（０１／２００９）
【非特許文献６】電気通信標準ＩＴＵ−Ｔ  Ｇ．７０７−Ｙ．１３２２（０１／２００７）
【非特許文献７】電気通信標準ＩＴＵ−Ｔ  Ｇ．７０９（０３／２００３）
【発明の概要】
【課題を解決するための手段】
【０００６】
本発明によれば、データ伝送経路特性の信号送信の方法が提案される。本方法は、第１のネットワークエンドポイント装置にいくつかのステップを含む。第１のステップとして、少なくとも１つのデータ伝送経路が、第１のネットワークエンドポイント装置によってクライアント装置にクライアントサーバインタフェースを介して提供される。そのデータ伝送経路は、第１のネットワークエンドポイント装置および第２のネットワークエンドポイント装置を接続するネットワークを介する経路である。第２のステップとして、第１のネットワークエンドポイント装置が、第２のネットワークエンドポイント装置または内部ネットワーク装置によって生成されるＯＡＭ情報をサーバネットワークインタフェースを介して受信し、この受信ＯＡＭ情報を終端させる。第３のステップとして、第１のネットワークエンドポイント装置が、第２のネットワークエンドポイント装置または内部ネットワーク装置によって生成されるかかる受信ＯＡＭ情報から少なくとも１つのデータ伝送特性パラメータを判定する。第４のステップは、少なくとも１つの判定された伝送特性パラメータに応じてクライアント装置への少なくとも１つの伝送特性メッセージをクライアントサーバインタフェースを介して信号送信するステップである。
【０００７】
提案される方法は、第１のネットワークエンドポイント装置によって受信される第２のネットワークエンドポイント装置または内部ネットワーク装置によって生成されたＯＡＭ情報が第１のネットワークエンドポイント装置で終端させられるということにもかかわらず、データ伝送経路に関する特性をクライアント装置へと信号送信する利点をもつ。
【０００８】
さらなる利点は、クライアントが、第２のネットワークエンドポイント装置、内部ネットワーク装置、またはさらなるクライアント装置によって生成されるＯＡＭ情報を受信することができる必要なしに、伝送特性メッセージを介してデータ伝送経路の伝送特性について知らされることである。そのクライアント装置は、伝送経路自体の伝送特性を監視することを目的として伝送特性パラメータを判定する必要はないが、伝送特性メッセージを介して第１のネットワークエンドポイント装置によってかかる特性について知らされる。
【０００９】
さらなる利点は、事業者がネットワーク内からネットワークエンドポイント装置を介するクライアント装置へのＯＡＭ情報の伝送を抑制することを決定する場合にも、ＯＡＭ情報から導出されるデータ伝送経路のデータ伝送経路特性についてクライアント装置が知らされることである。
【００１０】
さらなる一態様によれば、伝送特性パラメータは、データ伝送経路を介するデータ伝送性能に関する。好ましくは、そのデータ伝送性能は、誤り率、帯域幅および／または待ち時間の特性のうちの少なくとも１つまたはいずれかを含む。
【００１１】
さらなる一態様によれば、そのクライアントサーバインタフェースは、イーサネット（登録商標）ユーザネットワークインタフェース（ＵＮＩ）である。好ましくは、その伝送特性メッセージは、第１のネットワークエンドポイント装置から第１のクライアント装置に信号送信されるイーサネットＯＡＭメッセージである。
【００１２】
さらなる一態様によれば、そのＯＡＭ情報は、パケットベースのＯＡＭメッセージである。
【００１３】
さらなる一態様によれば、そのパケットベースのＯＡＭメッセージは、イーサネットＯＡＭメッセージである。
【００１４】
さらなる一態様によれば、受信ＯＡＭメッセージを終端させるステップは、第１のネットワークエンドポイント装置で任意の受信イーサネットＯＡＭメッセージを終端させるステップを含む。
【００１５】
さらなる一態様によれば、そのＯＡＭ情報は、ネットワークのデータ伝送ユニットのオーバヘッド内で伝送されるＯＡＭ情報である。かかるネットワークは、好ましくは、ＳＤＨネットワークまたはＯＴＮネットワークである。
【００１６】
さらに、データ伝送経路特性の信号送信のためのネットワークエンドポイント装置が提案される。そのネットワークエンドポイント装置は、クライアントサーバインタフェースを介してクライアント装置に少なくとも１つのデータ伝送経路を提供する手段を含む。かかるデータ伝送経路は、ネットワークエンドポイント装置および第２のネットワークエンドポイント装置の間の経路である。さらに、そのネットワークエンドポイント装置は、ＯＡＭ情報を受信するおよび終端させる手段を含む。加えて、そのネットワークエンドポイント装置は、第２のネットワークエンドポイント装置、内部ネットワーク装置、および／またはそのネットワークに接続されたさらなるクライアント装置によって生成されたかかる受信ＯＡＭ情報から少なくとも１つの伝送特性パラメータを判定する手段を含む。特許請求されているネットワークエンドポイント装置は、決定手段、および、判定された少なくとも１つの伝送特性パラメータに応じてクライアントサーバインタフェースを介してクライアント装置へ少なくとも１つの伝送特性メッセージを信号送信するための伝送手段を含む。
【図面の簡単な説明】
【００１７】
【図１】先行技術によるイーサネットＯＡＭメッセージを交換するための異なるレベルを示す図である。
【図２】第１の実施形態によるデータ伝送経路特性の信号送信の提案される方法に加わる異なる装置を示す図である。
【図３】データ伝送経路特性の信号送信のステップの代替解決策を示す図である。
【図４】クライアント装置に第１のネットワークエンドポイント装置によってデータ伝送経路を提供するステップの代替解決策を示す図である。
【図５】提案される方法の第２の実施形態による、イーサネットＯＡＭメッセージの交換および伝送特性メッセージの信号送信の異なるレベルを示す図である。
【図６】代替解決策によるデータ伝送経路を示す図である。
【図７】代替解決策によるデータ伝送経路を示す図である。
【図８】提案されるネットワークエンドポイント装置の一実施形態を示す図である。
【発明を実施するための形態】
【００１８】
図１は、電気通信標準ＩＥＥＥ  Ｓｔｄ  ８０２．１ａｇ−２００７に記載のネットワーク内の異なるレベルでイーサネットＯＡＭメッセージを交換する原理を示す。かかる原理はまた、電気通信標準ＩＴＵ−Ｔ  Ｙ．１７３１（０２／２００８）からも知られている。これらの文献の内容を参照により本明細書に組み込む。
【００１９】
ＯＡＭ情報の交換の原理を説明するために本明細書で使用される技術用語は、前述の参照文献から取られる。しかし、これらの用語は、ほんの一例であり、特許請求されている本発明の範囲を限定するものではない。
【００２０】
図１によれば、第１の顧客機器ＣＥ１が、ネットワークＮの事業者ブリッジＢＲに接続される。第１の顧客機器は、他の保守エンティティグループエンドポイントＭＥＰからイーサネットＯＡＭメッセージを受信する保守エンティティグループエンドポイントＭＥＰＣＥ１を含む。これらのＭＥＰは、顧客レベルＣＬにある顧客機器と同じレベルにある第２の顧客機器ＣＥ２に置かれることができる。さらには、これらのＭＥＰは、プロバイダレベルＰＬなどのより低レベルにあるネットワークＮのネットワーク装置に置かれることができる。
【００２１】
先行技術によれば、イーサネットＯＡＭメッセージを送信および受信することによって与えられる情報から利益を得るために、顧客機器ＣＥ１は、かかるイーサネットＯＡＭメッセージの送信、受信およびフィルタリングをサポートするある種のプロトコルを走らせなければならない。
【００２２】
イーサネットＯＡＭメッセージングをサポートしない顧客機器は、イーサネットＯＡＭメッセージを送信および／または受信することができない。したがって、かかる顧客機器は、イーサネットＯＡＭメッセージを分析することによってデータ伝送経路の特性に関する結論を出すことはできない。
【００２３】
さらには、先行技術によれば、顧客機器は、イーサネットＯＡＭメッセージを分析することによってデータ伝送経路の特性についての結論を出すために、イーサネットＯＡＭメッセージを受信しなければならない。これは、イーサネットＯＡＭメッセージがネットワークの事業者ブリッジＢＲから顧客機器まで渡されなければならないことを暗に示す。ネットワークの事業者がイーサネットＯＡＭメッセージを顧客機器まで渡すことによってネットワークに関するある種の情報を明らかにすることを望まない場合、その事業者は顧客機器への事業者ブリッジＢＲによるイーサネットＯＡＭメッセージの伝送を抑制することになる。これはまた、顧客機器がイーサネットＯＡＭメッセージを分析することによってデータ伝送経路の特性に関する結論を出すことができないという欠点ももつ。
【００２４】
（実施例１）
図２は、データ伝送経路特性の信号送信の提案される方法に加わる異なる装置を示す。第１のクライアント装置１３０は、第１のクライアントサーバインタフェース１１１を介して第１のネットワークエンドポイント装置１０１に接続される。第１のネットワークエンドポイント装置１０１は、第１のネットワークエンドポイント装置１０１および第２のネットワークエンドポイント装置１０２の間にネットワーク１６０を介して伝送経路１４０を提供する。第２のネットワークエンドポイント装置１０２は、第２のクライアント装置１３１が接続される第２のクライアントサーバインタフェース１２２を含む。
【００２５】
第１のネットワークエンドポイント装置１０１は、第１のサーバネットワークインタフェース１１２を介して、第１のネットワークエンドポイント装置で次に終端させられるＯＡＭ情報を受信する。ＯＡＭ情報は、第２のネットワークエンドポイント装置１０２、内部ネットワーク装置（図２に図示せず）、および／または第２のクライアント装置１３１によって生成されることができる。ＯＡＭ情報は、データ伝送経路１４０のデータ伝送経路特性に関する少なくとも１つの伝送特性パラメータの判定に使用される。第１のネットワークエンドポイント装置１０１は次に、クライアントサーバインタフェース１１１を介して少なくとも１つの伝送特性メッセージを第１のクライアント１３０へと信号送信する。
【００２６】
提案される本方法は、クライアント装置が一致したプロトコルを走らせることによって現在知られているイーサネットＯＡＭメッセージの信号送信をサポートしない場合、または事業者がネットワークエンドポイント装置を介したクライアント装置へのネットワーク内からのＯＡＭ情報の伝送を抑制することを決めた場合でも、クライアント装置が、ＯＡＭ情報から導出されるデータ伝送経路のデータ伝送経路特性について知らされるという利点をもつ。かかるネットワークエンドポイント装置は、ネットワークの末端部にある事業者ブリッジでもよい。
【００２７】
伝送特性は
−  データ伝送中の誤りの発生、
−  データ伝送容量、
−  データ伝送の待ち時間、
−  ネットワークによって提供される伝送経路の可用性、
−  保護経路によって提供される伝送経路を保護するネットワークの能力、または、
−  保護経路を介するデータ伝送の現在の再経路指定
でもよい。
【００２８】
前述の伝送特性に関連して、伝送特性パラメータは次に、
−  誤り率、
−  帯域幅、
−  単一の伝送経路の待ち時間、または、一群の伝送経路の待ち時間差、
−  提供される伝送経路が使用可能であるかの指示、
−  提供される経路が保護経路によって保護されることができるかの指示、あるいは、
−  ネットワークが、保護経路を介したデータ伝送を再経路指定することによって、提供される経路を保護するための動作を始めているかの指示
でもよい。
【００２９】
前述の伝送特性および前述の伝送特性パラメータに関連して、伝送特性メッセージは、−  誤り率および／または誤り率の変化を示すデータ項目の測定値、
−  帯域幅および／または帯域幅の変化を示すデータ項目の測定値、
−  単一の伝送経路についての待ち時間の測定値、一群の伝送経路についての待ち時間差の測定値、および／または待ち時間もしくは待ち時間差の変化を示すデータ項目、
−  提供される伝送経路が使用可能である／ではないことを示す、データ項目または論理データ、
−  提供される伝送経路が保護経路によって保護されることができる／できないことを示す、データ項目または論理データ、あるいは、
−  ネットワークが、保護経路を介するデータ伝送の再経路指定によって、提供される経路を保護するための動作を始めていることを示す、データ項目または論理データ、のうちの１つまたは複数を含みうる。
【００３０】
伝送特性メッセージは、伝送特性パラメータが変わった場合に、第１のネットワークエンドポイント装置１０１によって第１のクライアント装置１３０へと信号送信される。
【００３１】
別法として、伝送特性メッセージは、測定値が第１の所与のしきい値を超える場合に、信号送信される。好ましくは、伝送特性メッセージの信号送信は、判定された伝送特性パラメータが第２の所与のしきい値を下回るまで、継続される。
【００３２】
さらなる代替解決策では、伝送特性メッセージは、伝送特性パラメータがクライアント装置１３０に伝送経路１４０を提供した後に初めて判定された場合に、信号送信される。これは、直前に提供されたデータ伝送経路の伝送特性について第１のクライアントに知らせるために、実行される。
【００３３】
別法として、第１のネットワークエンドポイント装置１０１は、初回のインスタンスについての少なくとも１つの伝送特性パラメータの第１の測定値、および、２度目のインスタンスについての第２の測定値を判定する。第１のネットワークエンドポイント装置１０１は、第２の測定値が第１の測定値と異なる場合に、伝送特性メッセージを第１のクライアント装置１３０に信号送信する。
【００３４】
別法として、第１のネットワークエンドポイント装置１０１は、その第１の測定値とその第２の測定値の間の差が所定のしきい値を超える場合に、少なくとも１つの伝送特性メッセージを第１のクライアント装置１３０へと信号送信する。
【００３５】
好ましくは、その少なくとも１つの伝送特性メッセージは、伝送特性パラメータの直前に判定された値を含む。
【００３６】
図３は、伝送特性メッセージの信号送信のステップの代替を示す。
【００３７】
第１のクライアント装置１３０は、第１のネットワークエンドポイント装置１０１に接続される。第１のネットワークエンドポイント装置１０１は、第２のネットワークエンドポイント装置１０２と伝送経路１４０を介してネットワーク１６０を通して接続される。第２のクライアント装置１３１は、第２のネットワークエンドポイント装置１０２に接続される。第１のネットワークエンドポイント装置１０１および第２のネットワークエンドポイント装置１０２は、ＯＡＭ情報３０１、３０２を交換する。好ましくは、第２のクライアント装置１３１もまた、ＯＡＭ情報３０３を送信する。第１のネットワークエンドポイント装置１０１が伝送特性パラメータの変化を検出する場合、またはパラメータがあるしきい値に達する場合、それは伝送特性メッセージを１セットのバースト信号４０１として第１のクライアント装置に送信する。２つの必然的バースト信号は、バースト間隔４１１によって時間で区切られる。バースト信号４１１は、そのパラメータが変化した、伝送特性の種類を示すデータ項目、および／またはその伝送パラメータの判定値を含みうる。好ましくは、そのセットのバースト信号を送信した後に、第１のネットワークエンドポイント装置１０１は、リフレッシュ間隔４１２と呼ばれる時間間隔の後にリフレッシュ信号４０２を送信する。このリフレッシュ信号４０２は、前に信号送信されたパラメータがまだ有効であることを示す。リフレッシュ信号４０２は、そのパラメータがまだ有効である伝送特性の種類を示すデータ項目、および／またはその伝送パラメータの判定値を含みうる。
【００３８】
代替によれば、伝送特性メッセージは、データプレーン内の第１のクライアント装置１３０に送信される。
【００３９】
クライアントサーバインタフェースがイーサネットユーザネットワークインタフェースＵＮＩである場合、伝送特性メッセージは、データプレーン内でパケットベースのメッセージとして送信される。好ましくは、そのパケットベースのメッセージは、イーサネットＯＡＭメッセージである。
【００４０】
もう１つの代替によれば、伝送特性メッセージが、制御プレーンメッセージとして制御プレーン内で第１のクライアント装置１３０に送信される。
【００４１】
データ伝送経路１４０は、図４に示すように異なるステップを実行することによって、提供される。第１のネットワークエンドポイント装置１０１は、クライアントサーバインタフェース１１１を介して第１のクライアント装置１３０から接続要求メッセージ２０１を受信する。この受信をしたとき、第１のネットワークエンドポイント装置１０１は、経路セットアップ要求メッセージ２０２を第２のネットワークエンドポイント装置１０２へと送信する。この第２のネットワークエンドポイント装置１０２は、この受信をしたときに、さらなる接続要求メッセージ２０３をその第２のクライアントサーバインタフェース１２２を介して第２のクライアント装置１３１へと送信する。第２のクライアント装置１３１から接続確認メッセージ２０４を受信したとき、第２のネットワークエンドポイント装置１２２は、経路セットアップ確認メッセージ２０５を第１のネットワークエンドポイント装置１０１へと送信する。第１のネットワークエンドポイント装置１０１は、これを受信したとき、さらなる接続確認メッセージ２０６を第１のクライアント装置１３０へとその第１のクライアントサーバインタフェース１１１を介して送信する。
【００４２】
（実施例２）
第２の実施形態は、第１の実施形態に記載のすべての特徴ならびに以下に記載のさらなる特徴を含む。
【００４３】
以下では、どのような方法で信号送信の提案される方法の異なるステップが第１のネットワークエンドポイント装置でイーサネットＯＡＭメッセージを送信および／または受信することによってサポートされるかが説明される。
【００４４】
図５は、イーサネットＯＡＭメッセージの信号送信についての異なるレベルを示す。第１のクライアント装置ＣＤ１は、データ伝送経路ＤＰを介して第２のクライアント装置ＣＤ２と通信する。データ伝送経路ＤＰを提供するネットワークが、プロバイダドメインＰＤとして示されている。プロバイダドメインＰＤは、本例において、２つの連続ドメインを含む。２つの連続ドメインは、第１の事業者ドメインＯＡおよび第２の事業者ドメインＯＢである。第１の事業者ＯＡドメインは、第１のネットワーク装置１１、１１Ｃ、１１Ｅによって形成される。第２の事業者ドメインＯＢは、第２のネットワーク装置１２、１２Ｃ、１２Ｅによって形成される。
【００４５】
第１のクライアント装置ＣＤ１は、第１の事業者ドメインＯＡの一端にある第１のネットワークエンドポイント装置１１Ｅに接続される。第１の事業者ドメインＯＡのもう一方の端に、第２の事業者ドメインＯＢの第２の接続ネットワーク装置１２Ｃに接続された、第１の接続ネットワーク装置１１Ｃが置かれている。第２のクライアント装置ＣＤ２は、第２の事業者ドメインＯＢの第２のネットワークエンドポイント装置１２Ｅに接続される。
【００４６】
第１の接続ネットワーク装置１１Ｃおよび接続ネットワーク装置１２Ｃは、内部ネットワーク装置として考えられる。第１のネットワークエンドポイント装置１１Ｅと第２のネットワークエンドポイント装置１２Ｅの間にある、さらなるネットワーク装置１１、１２もまた、内部ネットワーク装置として考えられる。
【００４７】
ネットワーク装置１１、１１Ｃ、１１Ｅ、１２Ｃ、１２Ｅ、１２などの要素間の接続はデータリンクＬＫによって与えられる。
【００４８】
リンクＬＫは、ドメイン自体として考えられる。
【００４９】
各ドメインは、イーサネットＯＡＭメッセージを交換するためのレベルに関連付けられる。これらのレベルのそれぞれは、保守エンティティグループＭＥＧと関連付けられる。ＭＥＧは、保守エンティティグループエンドポイントＭＥＰおよび保守エンティティグループ中間点ＭＩＰなどの保守エンティティを備える。ＭＥＰは、ドメインの境界に置かれている。ＭＩＰは、レベルに関連付けられたＭＥＧに沿って中間位置に置かれている。かかる中間位置は、より小さいドメインの次に低いレベルの境界が始まる位置である。
【００５０】
プロバイダドメインＰＤのプロバイダレベルＰＬである、図示された最も高いレベルで、ＭＥＧは、第１のネットワークエンドポイント装置に置かれたＭＥＰ３１としてＭＥＰを備える。さらには、それは、第１の事業者ドメインＯＡの第１の接続ネットワーク装置１１ＣにあるＭＩＰ３１としてのＭＩＰ、事業者ドメインＢの第２の接続ネットワーク装置１２ＣにあるＭＩＰ３２としてのＭＩＰ、および、第２のネットワークエンドポイント装置１２ＥのＭＥＰ３２としてのＭＥＰを備える。
【００５１】
事業者ドメインＯＡ、ＯＢのレベルである、２番目に高いレベルに、２つの等しいレベルがある：第１の事業者ドメインＯＡの第１の事業者レベルＯＡＬ、および、第２の事業者ドメインＯＢの第２の事業者レベルＯＢＬ。これらのレベル／ドメインの各境界には、ＭＥＰ４１、ＭＥＰ４２、ＭＥＰ４３およびＭＥＰ４４として置かれたＭＥＰがある。これらのレベル／ドメイン内に、ＭＩＰＡ、ＭＩＰＢとして接続ネットワーク装置１１Ｃ、１２Ｃのそれぞれに置かれたＭＩＰがある。
【００５２】
リンクＬＫのレベルである、最も低いレベルには、ＭＥＰが各接続リンクＬＫのそれぞれの端に置かれている。
【００５３】
イーサネットＯＡＭメッセージの論理経路ＬＰは、破線で示されている。それは、プロバイダレベルＰＬにある第１のネットワークエンドポイント装置１１ＥのＭＥＰ３１で始まり、第１のネットワークエンドポイント装置１１Ｅにある事業者レベルのＭＥＰ４１へと下がって行く。プロバイダドメインＰＤ内で、論理経路ＬＰは、１レベルのＭＩＰから、レベル／ドメインの開始境界が入力される、それらの位置にある次に低いレベルのＭＥＰへと下りて行く。レベル／ドメインの終了境界が達せられるとき、論理経路ＰＤは、そのレベルのＭＥＰから次に高いレベルのＭＩＰまたはＭＥＰへと上がる。
【００５４】
異なる種類のイーサネットＯＡＭメッセージが使用される。
【００５５】
メッセージの第１の種類は、１つのレベルでＭＥＰによって起動され、同一レベルで別のＭＥＰによって終端させられるメッセージの種類である。かかるメッセージは、たとえば、連続性チェックメッセージＣＣＭである。プロバイダレベルＰＬで第１のネットワークエンドポイント装置ＭＥＰ３１にあるＭＥＰによって起動されるＣＣＭは、論理経路ＬＰに沿って、第２のネットワークエンドポイント装置ＭＥＰ３２にあるＭＥＰであるプロバイダレベルＰＬの他方のＭＥＰまでずっと通過する。かかるＣＣＭメッセージを周期的に交換することによって、１つのレベルの２つのＭＥＰは、それらの間の接続の連続性の起こり得る損失を監視することができる。ＣＣＭメッセージがプロバイダレベルＰＬで起動されるとき、それは、それがこのＭＥＰによって終端させられる第２のネットワークエンドポイント装置１２ＥにあるプロバイダレベルＭＥＰ３２の他方の境界にあるＭＥＰに到達するまで、より低レベルのさらなるＭＩＰおよびＭＥＰ、またはプロバイダレベルのＭＩＰによって論理経路ＬＰに沿って受け渡される。
【００５６】
メッセージの第２の種類は、１つのレベルのＭＥＰによって起動され、次に高いレベルのＭＥＰによって終端させられるメッセージの種類である。かかるメッセージは、たとえば、警告指示信号ＡＩＳである。ＭＥＰがそのレベルの接続の連続性の損失を検出すると、それは次に高いレベルのＭＥＰにＡＩＳを送信する。これによって、ＡＩＳを受信する次に高いレベルのＭＥＰは、データ伝送の障害が、より低いレベルの接続性の問題によることを知らされる。
【００５７】
たとえば、事業者ドメインＢの始めに置かれた第２の接続ネットワーク装置１２ＣにあるＭＥＰ４３が連続性の損失を検出する場合、それは、それが終端させられるプロバイダレベルＭＥＰ３１の第１のネットワークエンドポイント装置１１ＥにあるＭＥＰに伝搬するＡＩＳ２を起動する。ＡＩＳは、そのＡＩＳを起動したＭＥＰよりも高いレベルに位置するＭＥＰによって終端させられる。
【００５８】
プロバイダレベルのＭＥＰによって、またはより低レベルのＭＥＰによって生成されたイーサネットＯＡＭメッセージは、第１のネットワークエンドポイント装置で受信され、第１のネットワークエンドポイント装置で終端させられる。
【００５９】
図５は、クライアント装置ＣＤ１がイーサネットＯＡＭメッセージングをサポートしないが、それでもイーサネットＯＡＭメッセージから導出されるデータ伝送経路ＤＰの伝送特性について知らされる、信号送信の提案される方法の一実施形態を示す。これは、イーサネットＯＡＭメッセージを受信し、これらのメッセージを終端させ、これらの受信メッセージから少なくとも１つの伝送特性パラメータを判定し、判定された伝送特性パラメータに応じてクライアント装置へと伝送特性メッセージを信号送信する、第１のネットワークエンドポイント装置１１Ｅによって達成される。
【００６０】
伝送特性の一例は、レベルの接続の連続性である。伝送特性パラメータの一例は、そのとき、連続性の損失がそのレベルで生じたかどうかを示すブールデータである。伝送特性メッセージの一例は、そのとき、ブールデータの値を含むメッセージである。かかる伝送特性メッセージＭＳＧは、第１のネットワークエンドポイント装置１１Ｅからクライアント装置ＣＤ１に送信される。
【００６１】
第１のネットワークエンドポイント装置１１ＥのＭＥＰ３１が期待どおりに第２のネットワークエンドポイント装置１２ＥのＭＥＰ３２からプロバイダレベルでＣＣＭメッセージを周期的に受信していないということにより、連続性の損失がプロバイダレベルで検出されることができる。第１のネットワークエンドポイント装置１１Ｅは、そのとき以前のインスタンスで受信されたＣＣＭメッセージ、および、その後のインスタンスでＣＣＭメッセージが受信されないということから、連続性の損失が発生した特性を判定する。伝送特性パラメータは、そのとき、連続性の損失が生じたことを示すブールデータである。かかる場合には、第１のネットワークエンドポイント装置１１ＥのＭＥＰ２１が、伝送特性メッセージＭＳＧをクライアント装置ＣＤ１へと送信する。伝送特性メッセージＭＳＧは、連続性の損失がプロバイダレベルＣＬで発生したことを示すブールデータの値を含む。この情報を受信することによって、クライアント装置ＣＤ１は、データ伝送の認識されている可能性のある問題が、第１のネットワークエンドポイント装置１１Ｅおよび第２のネットワークエンドポイント装置１２Ｅの間の接続のセグメント上で生じた連続性の損失に起因することを知らされる。したがって、クライアント装置ＣＤ１は、データ伝送の認識された問題が第１のネットワークエンドポイント装置１１Ｅおよびクライアント装置ＣＤ１の間のデータ伝送の問題に起因しないという結論を出す。
【００６２】
さらなる代替解決策では、連続性の損失は、第２の接続ネットワーク装置１２ＣのＭＥＰ４３が期待されるように第２のネットワークエンドポイント装置１２ＥのＭＥＰ４４から事業者レベルでＣＣＭメッセージを周期的に受信していないということによって、事業者レベルで検出される。第２の接続ネットワーク装置ＭＥＰ４３にある事業者レベルのＭＥＰは、そのとき以前のインスタンスで受信されたＣＣＭメッセージ、および、ＣＣＭメッセージがその後のインスタンスで受信されないということから、連続性の損失が発生した特性を判定する。連続性の損失が検出された場合、ＭＥＰ４３は、次に高いレベル、プロバイダレベルに、送信されるＡＩＳ信号ＡＩＳ２を挿入する。プロバイダレベルで、ＡＩＳメッセージＡＩＳ２が第１のネットワークエンドポイント装置１１ＥのＭＥＰ３１によって受信される。ここで、ＡＩＳメッセージがＭＥＰ３１によって終端させられる。第１のネットワークエンドポイント装置は、ＡＩＳメッセージから、連続性の損失がプロバイダレベルで発生したかどうかを示すブールデータでもよい伝送特性パラメータを判定する。この判定は、プロバイダレベルで受信および終端されたＣＣＭメッセージに間接的に基づく。第１のネットワークエンドポイント装置１１Ｅによってクライアント装置ＣＤ１に送信される伝送特性メッセージＭＳＧは、そのブールデータの値を含む。
【００６３】
前述の異なる実施形態について説明されたように、伝送特性パラメータは、第２のネットワークエンドポイント装置によってまたは内部ネットワーク装置によって生成されたイーサネットＯＡＭメッセージから判定されることができる。
【００６４】
第１のネットワークエンドポイントで受信イーサネットＯＡＭメッセージから伝送経路特性を判定するステップのさらなる代替が、以下に説明される。
【００６５】
誤り率を判定することを目的として、第１のネットワークエンドポイント装置１１Ｅで構成されるＭＥＰ、および第２のネットワークエンドポイント装置１２Ｅで構成されるＭＥＰは、連続性チェックメッセージＣＣＭをもつフレームを周期的に交換する。ＣＣＭは、損失測定情報ＬＭを含む。測定される誤り率としてのフレーム損失率ＦＬＲは、そのとき、時間間隔Ｔについて、ＭＥＰに配信されるサービスフレームの数で割られたＭＥＰに配信されないフレームの数の比率である。ＭＥＰに配信されないフレームの数は、ＭＥＰに送信されるサービスフレームの数とＭＥＰによって受信されるサービスフレームの数の差である。時間間隔Ｔについての受信ＭＥＰに送信ＭＥＰによって送信されるサービスフレームの数は、送信ＭＥＰによって送信されるＣＣＭの損失測定情報ＬＭ内のこの数を含むことによって受信ＭＥＰに示されることができる。
【００６６】
図６は、図２に示すすべての要素を示す。さらには、提供される伝送経路１４０は、主要経路１７１および追加経路１７２を含む。主要経路１７１は、主要アップリンク経路１４１および主要ダウンリンク経路１４２を含む。追加経路１７２は、追加アップリンク経路１４１１および追加ダウンリンク経路１４２１を含む。
【００６７】
提供される経路の帯域幅を決定することを目的として、図６は考えられることになる。主要および追加経路１７１、１７２は、イーサネット接続の主要経路および予備経路でもよい。第１のおよび第２のネットワークエンドポイント装置１０１、１０２のＭＥＰは、経路の接続性を検査するために、経路１７１、１７２のそれぞれでループバックメッセージＬＢＭを交換する。ループバックＬＢＭメッセージは、ある装置から別の装置へ送信される要求メッセージである。ＬＢＭを受信するとき、他方の装置は、ＬＢＭを送信した装置にループバック応答メッセージＬＲＭを送信することによって応答する。ＬＢＭが第１のネットワークエンドポイント装置１１１の第１のＭＥＰから第２のネットワークエンドポイント装置１２２の第２のＭＥＰに主要アップリンク経路１４１を介して送信されるとき、第２のＭＥＰは、ループバック応答メッセージＬＲＭを主要ダウンリンク経路１４２を介して第１のＭＥＰに送信することによって応答する。第２のＭＥＰは、第２のＭＥＰにＬＲＭを送信することによって第１のＭＥＰによって応答されるＬＢＭを第１のＭＥＰに送信する。代替解決策によれば、ネットワーク装置によって送信されるＬＢＭは、テストタイプ長さ値データＴＬＶと呼ばれる追加データユニットを運搬する。もう１つのネットワーク装置がこのＴＬＶデータを受信するとき、それは、このデータから、ＬＢＭが送信された伝送経路で使用可能な帯域幅を導出することができる。
【００６８】
各経路１７１、１７２で周期的にＬＢＭを送信すること、およびＬＢＭを受信することによって、ネットワークエンドポイント装置は、各経路１７１、１７２で接続性および帯域幅を検査することができる。したがって、各経路１７１、１７２の帯域幅が知られていれば、経路が障害をもつ場合に、使用可能帯域幅の変化が容易に検出され、判定されることができる。
【００６９】
単一の伝送経路１７１についての待ち時間または一群の伝送経路１７１、１７２についての待ち時間差を判定することを目的として、フレーム遅延ＦＤの原理が活用される。単一の経路１７１の遅延を測定しようとするとき、第１のネットワークエンドポイント装置１０１の第１のＭＥＰが遅延測定メッセージＤＭＭを第２のネットワークエンドポイント装置１０２の第２のＭＥＰに送信し、そのＤＭＭはＤＭＭが作成された時間を示すタイムスタンプを含む。ＤＭＭを受信したとき、第２のＭＥＰが、遅延測定応答ＤＲＭを第１のＭＥＰに送り返す。受信ＤＭＭのタイムスタンプは、ＤＲＭに含まれる。したがって、ＤＲＭを受信するとき、第１のＭＥＰは、それぞれの経路での待ち時間の測定として、往復遅延を判定することができる。
【００７０】
ＤＭＭの送信、およびタイムスタンプを含むＤＲＭの受信の原理は、それぞれの異なる経路１７１、１７２についての待ち時間の異なる測定値をもたらす異なる経路１７１、１７２で実行される。待ち時間差は、次に、異なる経路の差動遅延として計算される。待ち時間の変化は、経路がネットワーク内で再経路指定される場合に生じうる。待ち時間差の変化は、一群の経路のうちの１つの経路が再経路指定される場合に生じうる。
【００７１】
図７は、図６に示されたすべての要素を示す。加えて、図７は、ネットワーク１６０内の事業者ドメイン１６３の第１の事業者経路セグメント１６１を形成する、主要経路１７１に沿った第１のおよび第２の内部ネットワーク装置１０３、１０３３を示す。第１の内部ネットワーク装置１０３は、第２の内部ネットワーク装置１０３３よりも第１のネットワークエンドポイント装置１０１の近くにある。さらには、図６は、ネットワーク１６０内の事業者ドメイン１６３の第２の事業者経路セグメント１６２を形成する、追加経路１７２に沿った第３のおよび第４の内部ネットワーク装置１０４、１０４４を示す。第３の内部ネットワーク装置１０４は、第４の内部ネットワーク装置１０４４よりも第１のネットワークエンドポイント装置１０１の近くにある。
【００７２】
提供される伝送経路が使用可能かどうかを判定することを目的として、異なる種類のイーサネットＯＡＭメッセージが使用されることができる。提供される伝送経路が使用可能であるかどうかを判定する第１の可能性は、前述のように１つのレベルまたは複数のレベルでのＣＣＭメッセージの交換の原理を使用して連続性の損失を検出することである。
【００７３】
提供される伝送経路が使用可能であるかどうかの判定の第２の可能性は、受信された遠隔欠陥指示信号ＲＤＩを分析することによって連続性の損失を検出することである。ＭＥＰは、第４の内部ネットワーク装置１０４４の事業者レベルの第３の内部ネットワーク装置１０４およびもう１つのＭＥＰの事業者レベルに位置する。第１の内部ネットワーク装置１０３にあるＭＥＰは、第２の内部ネットワーク装置１０３３にあるＭＥＰに主要アップリンク経路１４１の事業者レベルでＣＣＭメッセージを送信する。第２の内部ネットワーク装置１０３３にあるＭＥＰは、第１の内部ネットワーク装置１０３にあるＭＥＰに主要ダウンリンク経路１４２でＣＣＭメッセージを送信する。第２の内部ネットワーク装置１０３３が第１の内部ネットワーク装置１０３から周期的にＣＣＭメッセージを受信しない場合、それは、主要アップリンク経路１４２を介して、プロバイダレベルである次に高いレベルにある第２のクライアント装置１３１のＭＥＰに警告指示信号ＡＩＳを送信する。プロバイダレベルの第２のクライアント装置１０２のＭＥＰは次に、プロバイダレベルのＲＤＩを主要ダウンリンク経路１４２を介してプロバイダレベルの第１のネットワークエンドポイント装置１０１のＭＥＰに送信する。プロバイダレベルの第１のネットワークエンドポイント装置１０１のＭＥＰがＲＤＩメッセージを受信するとき、それは、このメッセージを終端させる。さらには、このＭＥＰは、このメッセージから、提供される伝送経路としての主要アップリンク経路１４１が使用可能ではないと判定し、伝送特性メッセージを介して第１のクライアント装置１３０にこの状態を信号送信する。
【００７４】
提供される経路が保護経路によって保護されることができるかを判定することを目的として、ＣＣＭ、ＡＩＳおよび／またはＲＤＩとしてのイーサネットＯＡＭメッセージが使用されることができる。これは、以下で説明される。
【００７５】
図６は、クライアント装置１３０に第１のネットワークエンドポイント装置１０１によって提供される経路としての主要経路１７１を示す。保護経路は、追加経路１７２として与えられる。主要経路１７１で伝送問題が発生した場合、データ伝送は、部分的にまたは全体として、追加経路１７２に切り替えられることができる。クライアント１３０は、主要経路１７１でのデータ伝送が保護されうるかを知るために、主要経路１７１から追加経路１７２へのトラフィックの切替えの可能性について知らされることになる。したがって、追加経路が使用可能かどうかが判定され、そして、この可用性の存在が第１のクライアント装置１３０に信号送信される。追加経路１７２の可用性は、既に前述されたように提供される主要経路１７１の可用性の検出に関して同一イーサネットＯＡＭメッセージを使用することによって、判定されることができる。
【００７６】
ネットワークエンドポイント装置が主要経路１７１で伝送問題を検出した場合、それはデータ伝送を部分的にまたは全体として追加経路１７２、または図６に示されていないさらなる追加経路に切り替える。かかる場合には、ネットワークエンドポイント装置が、ネットワークが保護経路を介するデータ伝送を再経路指定することによって、提供される経路を保護するための動作を始めていることを示すデータ項目または論理データを含む、クライアント装置１３０への伝送特性メッセージを信号送信する。このメッセージによって、クライアントは、発生しているデータ伝送問題がネットワークによって解決されているところであることを知らされる。したがって、クライアントは、発生しているデータ伝送問題が、たとえば、図６に示されていない、第１のクライアント装置および第２のクライアント装置の間のさらなるデータ伝送経路を介してデータを第２のクライアント装置に伝送することによって、クライアント自体によって解決される必要はないという結論を出すことができる。
【００７７】
図５に示されていない、代替解決策によれば、第１のクライアント装置ＣＤ１は、イーサネットＯＡＭメッセージの信号送信をサポートする。この代替解決策では、事業者は、第１のネットワークエンドポイント装置１１Ｅを介するネットワーク内からクライアント装置ＣＤへのＯＡＭ情報の伝送を抑制することを決定する。したがって、内部ネットワーク装置、第２のネットワークエンドポイント装置、または場合によってはさらなるクライアント装置によって生成される第１のクライアント装置１１Ｅで受信されるすべてのイーサネットＯＡＭメッセージは、第１のネットワークエンドポイント装置１１Ｅで終端させられる。第１のネットワークエンドポイント装置は、これらの受信メッセージから少なくとも１つの伝送特性パラメータを判定し、判定された伝送特性パラメータに応じて第１のクライアント装置ＣＤ１へと伝送特性メッセージを信号送信する。好ましくは、この伝送特性パラメータは、イーサネットＯＡＭメッセージとして信号送信される。
【００７８】
（実施例３）
第３の実施形態は、第１の実施形態で説明されたすべての特徴ならびに以下に説明されるさらなる特徴を備える。
【００７９】
この第３の実施形態では、受信ＯＡＭ情報は、好ましくは同期型デジタル階層ＳＤＨまたは光伝送ネットワークＯＴＮのネットワークである、ネットワークのデータ伝送ユニットのオーバヘッド内で交換される。データ伝送ユニットは、ネットワークエンドポイント装置および／または内部ネットワーク装置の間で交換される。
【００８０】
ＳＤＨネットワークにおいて誤り率を判定することを目的として、ＯＡＭ情報が、同期型伝送モジュールＳＴＭと呼ばれる伝送フレームのセクションオーバヘッドＳＯＨ内で伝送される。ＯＡＭ情報は、ネットワークエンドポイント装置１０１、１０２の間で交換される。ＯＡＭ情報は、誤り監視に割り当られたパリティバイトである。パリティバイトは、偶数パリティを使用するビットインタリーブドパリティコードＢＩＰの機能である。ＢＩＰは、前のＳＴＭフレームのすべてのビットを介して計算される。パリティバイトＢＩＰを検査することによって、誤り率が判定されることができる。
【００８１】
ＯＴＮネットワークで誤り率を判定することを目的として、ＯＡＭ情報が、光伝送ユニットＯＴＵのオーバヘッド内で伝送される。ＯＡＭ情報は、ネットワークエンドポイント装置１０１、１０２の間で交換される。ＯＡＭ情報は、誤り監視のために割り当られたいくつかのパリティビットＢＩＰ−Ｘである。パリティビットＢＩＰ−Ｘは、ＯＴＵに含まれるペイロードデータの偶数パリティチェックに使用される。
【００８２】
ＳＤＨネットワークまたはＯＴＮ内で提供される経路の帯域幅を判定することを目的として、データ伝送に使用される仮想連結の仮想コンテナＶＣの数が検出される。クライアントの隣接データが、分割され、仮想コンテナと呼ばれる従属データユニットにマッピングされる。１つのクライアントの同一隣接データの一部を保持する仮想コンテナは、仮想連結グループＶＣＧを形成し、ＶＣＧメンバと呼ばれる。仮想コンテナは次に、伝送ネットワークの１つまたは複数のデータ伝送ユニットにマッピングされる。データ伝送ユニットは、ネットワークの同一経路または異なる経路を介して伝送されることができる。伝送の後、隣接データは、ＶＣＧメンバからデータを抽出することによって、マージされる。
【００８３】
各ＶＣＧメンバは、第１のネットワークエンドポイント装置１３０から第２のネットワークエンドポイント装置１３１へのクライアントデータの伝送についてあるデータ転送速度を提供する。ＳＤＨネットワークまたはＯＴＮのデータ伝送ユニットは、仮想連結に使用される仮想コンテナの数を２つのネットワーク要素間で調整および交渉するためにオーバヘッド内で信号が送信されるという方法でＯＡＭ情報の信号送信を提供する。かかる信号送信は、リンク容量調整方式ＬＣＡＳと呼ばれる。ネットワークエンドポイント装置１３０、１３１間の信号送信のこの方法を使用するとき、それらは、いくつの仮想コンテナがデータ伝送に使用可能であり、したがって、データ伝送のための使用可能なデータ転送速度または帯域幅が何かを知らされる。データ伝送に使用可能な仮想コンテナの数は、仮想コンテナ／ＶＣＧメンバのサブセットを伝送するための伝送経路上の伝送の障害によって変化しうる。
【００８４】
ＯＴＮまたはＳＤＨネットワークにおける一群の伝送経路１７１、１７２の待ち時間差を判定することを目的として、ＶＣＧメンバの差動遅延を計算する原理が活用される。隣接データ転送速度のクライアントのデータが、より低いデータ転送速度の２つの部分データストリームに分割され、ＶＣＧのメンバにマッピングされるとき、これらのメンバ／仮想コンテナは、伝送経路１７１、１７２を介して伝送される前に、シーケンス番号を与えられる。異なる伝送経路を介して受信されるＶＣＧのメンバのシーケンス番号を分析し、これらのＶＣＧメンバが受信された時間インスタンスを分析することによって、２つの伝送経路１７１、１７２の間の差動遅延を判定することが可能である。
【００８５】
提供される伝送経路または保護のための追加伝送経路がＳＤＨネットワークまたはＯＴＮで使用可能かどうかを判定することを目的として、異なる通信標準による異なる種類のＯＡＭ情報が使用されることができる。ＯＡＭ情報信号の損失ＬＯＳは、この目的のために標準ＩＴＵ−Ｔ  Ｇ．７８３（０３／２００６）によるＳＤＨネットワークで使用されることができる。別法として、ＯＡＭ情報信号の損失ＬＯＳは、この目的のために標準ＩＴＵ−Ｔ  Ｇ．７９８（１２／２００６）によるＯＴＮで使用されることができる。さらには、ＳＤＨネットワークおよび／またはＯＴＮの両方について、ＯＡＭ情報ＡＩＳおよび／またはＲＤＩが、標準ＩＴＵ−Ｔ  Ｇ．８０６．（０１／２００９）にしたがって使用されることができる。
【００８６】
ＳＤＨネットワークで誤り率を判定することを目的として、仮想コンテナＶＣｘのオーバヘッドで伝送されるＯＡＭ情報ビットインタリーブドパリティＢＩＰが、標準ＩＴＵ−Ｔ  Ｇ．７０７−Ｙ．１３２２（０１／２００７）にしたがって違反をチェックされることができる。
【００８７】
ＯＴＮで誤り率を判定することを目的として、光データユニットＯＤＵｋのオーバヘッドで伝送されるＯＡＭ情報ビットインタリーブドパリティＢＩＰが、標準ＩＴＵ−Ｔ  Ｇ．７０９（０３／２００３）にしたがって違反をチェックされることができる。さらには、標準ＩＴＵ−Ｔ  Ｇ．７０９（０３／２００３）にしたがって、光データユニットＯＤＵｋのオーバヘッド内で伝送されるビットインタリーブドパリティＢＩＰの違反の数が数えられることができる。さらには、標準ＩＴＵ−Ｔ  Ｇ．７９８（１２／２００６）およびＩＴＵ−Ｔ  Ｇ．７０９（０３／２００３）にしたがって、順方向誤り訂正ＦＥＣアルゴリズムによって訂正される誤りの数が使用されることができる。
【００８８】
前述の文献の内容を参照により本明細書に組み込む。
【００８９】
光伝送ネットワークに波長分割多重伝送方式の原理が適用されることができる。この技法によって、第１の波長の光信号を介したデータの伝送を提供することによって、伝送経路が提供される。予備経路などのさらなる経路が、第２の波長を介したデータの伝送を提供することによって提供される。
【００９０】
好ましくは、その伝送特性パラメータは、第１のクライアント装置がイーサネットＯＡＭメッセージングをサポートする場合に、イーサネットＯＡＭメッセージとして信号送信される。
【００９１】
ネットワークエンドポイント装置の実施形態
図８は、好ましい実施形態によるネットワークエンドポイント装置１０００を示す。ネットワークエンドポイント装置は、入力／出力の目的で第１のインタフェース手段１００１によって形成されるクライアントサーバインタフェース１１１を備える。これらの第１のインタフェース手段１００１は、データの交換と、ネットワークエンドポイント装置１０００およびクライアント装置の間の信号送信とに使用される。第１のインタフェース手段１００１は、第１の処理ユニット１０２０に接続される。この第１の処理ユニット１０２０は、第１のインタフェースがイーサネットユーザネットワークインタフェースである場合に、データ伝送のためのデータパケットを生成するためのパケットプロセッサ１０２３を好ましくは備える。
【００９２】
第１の処理ユニット１０２０は、少なくとも１つの伝送特性パラメータを判定するための性能監視プロセッサ１０３０に接続される。さらには、第１の処理ユニット１０２０および性能監視プロセッサ１０３０は、中央処理ユニット１０４０に接続される。中央処理ユニット１０４０は、処理ユニット１０２０およびパケットプロセッサ１０２３を監視する。ネットワークエンドポイント装置１０００はさらに、入力および出力目的の第２のインタフェース手段１００２をもつサーバネットワークインタフェース１１２を備える。第２のインタフェース手段１００２は、中央処理ユニット１０４０および性能監視プロセッサ１０３０にも接続される第２の処理ユニット１０１０に接続される。
【００９３】
第２の処理ユニット１０１０は、ネットワークエンドポイント装置１００１が接続されるネットワークのタイプに応じて、信号送信およびデータ伝送の手段を備える。
【００９４】
ネットワークがイーサネットネットワークである場合、第２の処理ユニット１０１０は、イーサネットネットワークのパケットを処理するための少なくとも１つのパケットプロセッサ１０１３を備える。別法として、ネットワークがＳＤＨネットワークまたはＯＴＮネットワークなどの時分割多重方式（ＴＤＭ）を使用するネットワークである場合、第２の処理ユニット１０１０は、ＳＤＨまたはＯＴＮネットワークの形式のフレームを処理するためのＴＤＭユニット１０１１を備える。ネットワークが波長分割多重方式ＷＤＭをサポートするＯＴＮである場合、第２の処理ユニット１０１０は、異なる光波長で光信号を受信し、これらの光信号をデータに変換するためのＷＤＭユニットを備える。ＷＤＭユニットはまた、ネットワークエンドポイント装置によってネットワークへと伝送されるデータから異なる光波長で光信号を生成する。
【００９５】
ネットワークによってネットワークエンドポイント装置１０００へと送信されるデータは、第２のインタフェース手段１００２を介して受信され、第２の処理ユニット１０１０へと渡される。ネットワークのタイプに応じて、第２の処理ユニット１０１０のパケットプロセッサ１０１３またはＴＤＭユニット１０１１のいずれかが受信データからＯＡＭ情報を検索する。ＯＡＭ情報は、性能監視プロセッサ１０３０へと渡される。ここで、ＯＡＭ情報は終端され、少なくとも１つの伝送特性パラメータがＯＡＭ情報から導出される。性能監視プロセッサ１０３０が、第１のインタフェース手段１００１を介するクライアント装置への信号送信が生じるべきであると決定する場合、性能監視プロセッサ１０３０および処理ユニット１０４０が、第１の処理ユニット１０２０に一致する伝送特性メッセージを生成させる。このメッセージは次に、そのメッセージがそこから第１のインタフェース１１１を介してクライアント装置に伝送される、第１のインタフェース手段１００１へと渡される。